(57)【特許請求の範囲】
【請求項１】
膝下までの脚を覆うレッグ部と足甲および足底を覆うフット部とで構成される紳士用靴下であって、前記紳士用靴下を着用してズボンを履いた場合にふくらはぎ部分において前記ズボンの裾がたくし上げられることを防止する紳士用靴下であって、
前記靴下は表糸と裏糸とで編成され、
前記裏糸は、スパンデックスまたはウーリーナイロンが採用され、
前記表糸は、前記レッグ部における履き口からふくらはぎ近傍までの部位にはすべりの良い第１の糸が採用され、それより足先方向のレッグ部およびフット部における部位には前記第１の糸から前記第１の糸よりもすべりの良くない第２の糸へ切り替えられて採用され、
前記第１の糸は、キュプラであることを特徴とする紳士用靴下。
【請求項２】
膝下までの脚を覆うレッグ部と足甲および足底を覆うフット部とで構成される紳士用靴下であって、前記紳士用靴下を着用してズボンを履いた場合にふくらはぎ部分において前記ズボンの裾がたくし上げられることを防止する紳士用靴下であって、
前記靴下は表糸のみで編成され、
前記レッグ部における履き口からふくらはぎ近傍までの部位にはすべりの良い第１の糸が採用され、それより足先方向のレッグ部およびフット部における部位には前記第１の糸から前記第１の糸よりもすべりの良くない第２の糸へ切り替えられて採用され、
前記第１の糸は、キュプラであることを特徴とする紳士用靴下。
【請求項３】
前記第２の糸は、綿、綿混、ウール、ウール混、または、シルクであることを特徴とする、請求項１または請求項２に記載の紳士用靴下。
【発明の詳細な説明】
【技術分野】
【０００１】
本発明は、編地で構成された靴下に関し、特に、パンツ（衣服のボトムスのうち（下着ではなく）２本に分かれた筒に片脚ずつを入れて穿く形のものであってズボン、スラックス等と呼ばれ、以下においてはズボンで代表させる）を履いた場合に靴下の基本的機能を発現しつつズボンの裾が靴下との摩擦等によりたくし上げられる（まくれ上げられる）ことを防止することのできる靴下に関する。
【背景技術】
【０００２】
日本においては、暑い夏季等を除けば、多くの人が、足に靴下等の足被覆衣類を履いて過ごすことが多い。この靴下の基本的機能としては、靴と素足との間の緩衝機能、足を暖かく保つ保温機能、汗を吸収して乾燥させ通気性を確保する機能、靴の外にでる皮膚の保護機能、靴と下半身の衣服（ズボン）との間を埋める衣服としての機能がある。
そして、このような靴下の基本的機能を発現させるために、靴下は編地で構成され、靴下の部位によりその編成を変更する場合がある。たとえば、実用新案登録第３１００７６２号公報（特許文献１）は、履いた際に足底部位に体重が架かるので、足底部分の感触が重要な要素となることに鑑みて足底がべとつかず爽やかな履き心地の靴下を開示する。特許文献１に開示された靴下は、表糸と裏糸からなる靴下において、靴下の踵部・足底部・爪先部からなる足底部に増糸をなし、この増糸に絹糸を使用したことを特徴とする。
【０００３】
この靴下によると、靴下の特定の部位である足底部位に絹糸を使用して編成したために、足底がべとつかず爽やかで清潔な履き心地のよい、快適さ抜群の靴下を提供することができる。
【先行技術文献】
【特許文献】
【０００４】
【特許文献１】実用新案登録第３１００７６２号公報
【発明の概要】
【発明が解決しようとする課題】
【０００５】
ところで、紳士用靴下であって、特に、膝下くらいまでの長さのハイソックスを履いてズボンを履いた場合、ふくらはぎ部分の靴下の編地とその部分に対向するズボンの生地との摩擦、および／または、靴下の編地を構成する繊維の毛羽とズボンの生地を構成する繊維の毛羽との絡み等により、ズボンの裾がたくし上げられる（まくれ上げられる）可能性が発生するという問題点がある。このようになると、見た目が非常に良くない。
【０００６】
しかしながら、特許文献１には、靴下の特定部位における編成を他の部位における編成と変更することを開示しているものの、上述した問題点を開示も示唆もしないし、解決もしていない。
本発明は、上述した問題点に鑑みて開発されたものであり、その目的とするところは、ズボンを履いた場合に靴下の基本的機能を発現しつつズボンの裾が靴下との摩擦等によりたくし上げられる（まくれ上げられる）ことを防止することのできる靴下を提供することである。
【課題を解決するための手段】
【０００７】
上記目的を達成するため、本発明に係る靴下は以下の技術的手段を講じている。
すなわち、本発明に係る靴下は、脚を覆うレッグ部と足甲および足底を覆うフット部とで構成される靴下であって、前記靴下は表糸と裏糸とで編成され、前記裏糸は、スパンデックスまたはウーリーナイロンが採用され、前記表糸は、前記レッグ部における履き口からふくらはぎ近傍までの部位にはすべりの良い第１の糸が採用され、それより足先方向のレッグ部およびフット部における部位には前記第１の糸から前記第１の糸よりもすべりの良くない第２の糸へ切り替えられて採用されていることを特徴とする。
【０００８】
また、本発明の別の観点に係る靴下は、脚を覆うレッグ部と足甲および足底を覆うフット部とで構成される靴下であって、前記靴下は表糸のみで編成され、前記レッグ部における履き口からふくらはぎ近傍までの部位にはすべりの良い第１の糸が採用され、それより
足先方向のレッグ部およびフット部における部位には前記第１の糸から前記第１の糸よりもすべりの良くない第２の糸へ切り替えられて採用されていることを特徴とする。
【０００９】
このましくは、前記第１の糸は、キュプラまたはポリエステルであるように（キュプラまたはポリエステルを含む糸であるように）構成することができる。
【発明の効果】
【００１０】
本発明に係る靴下によれば、ズボンを履いた場合に靴下の基本的機能を発現しつつズボンの裾が靴下との摩擦等によりたくし上げられる（まくれ上げられる）ことを防止することのできる靴下を提供することができる。
【図面の簡単な説明】
【００１１】
【図１】本発明の実施の形態に係る靴下の概略斜視図である。
【発明を実施するための形態】
【００１２】
以下、本発明の実施の形態に係る靴下１０を、図面に基づき詳しく説明する。ここで、靴下の構造および製造方法には様々なものがあり、本発明は特定の構造および製造方法に限定されるものではない。すなわち、後述する特徴（履き口からふくらはぎ近傍までの部位を編成する編糸の素材）を備えたものであれば、どのような靴下であってもよい。たとえば、靴下を構成する編地の編み組織（後述する特徴以外）および靴下を編成する編機の種類は、どのようなものであっても構わない。そのため、以下に示す靴下１０は、後述する特徴を除いて単なる例示でしかない。
【００１３】
なお、本発明の適用は、ハイソックスと呼ばれる膝下くらいまでの長さの紳士用靴下に特に好ましいが、このようなハイソックスに限定されるものではなく、脚を覆うレッグ部と足甲および足底を覆うフット部とで構成される靴下であれば好適に適用される。
この靴下１０は、好ましくは上述したようにハイソックスと呼ばれる靴下であって、脚を覆うレッグ部Ｌと足甲および足底を覆うフット部Ｆとで構成されており、フット部Ｆは足先部１２から踵部１４を備えており足甲および足底を覆う。
【００１４】
そして、特徴的であるのは、この靴下１０（の全体）は表糸と裏糸とで編成された編地で構成されて、裏糸は、この靴下１０の全体に亘ってスパンデックスまたはウーリーナイロンが採用されているのに対して、表糸は、レッグ部Ｌにおける履き口２０からふくらはぎ近傍１６までの部位１８にはすべりの良い第１の糸が採用され、それより足先方向のレッグ部Ｌおよびフット部Ｆにおける部位（部位１８以外の部位）には第１の糸から第１の糸よりもすべりの良くない第２の糸へ切り替えられて採用されている。
【００１５】
特に、好ましくは、表糸は、レッグ部Ｌにおける履き口２０からふくらはぎ近傍１６までの部位１８には第１の糸としてキュプラが採用され、それより足先方向のレッグ部Ｌおよびフット部Ｆにおける部位（部位１８以外の部位）には第２の糸として（第１の糸よりもすべりの良くない）綿が採用されている。この場合において、第１の糸は、キュプラに替えてポリエステルであっても構わないし、第２の糸は、綿に替えて、ウール、ウール混、シルク、綿混などであっても構わない。第１の糸および第２の糸を上述のように替えても以下に記述する作用効果を発現する。以下においては、第１の糸はキュプラ、第２の糸は綿であるとして説明する。
【００１６】
なお、表糸を綿からキュプラへ切り替える位置であるふくらはぎ近傍１６については、厳密に限定されるものではなく、後述するズボンの裾が靴下との摩擦等によりたくし上げられる（まくれ上げられる）ことをキュプラにより防止でき、かつ、靴下本来の機能（たとえば、汗を吸収して乾燥させ通気性を確保する機能）を綿により発現できる位置であれば構わない。多くの場合には、ふくらはぎ近傍１６において表糸がキュプラから綿へ切り替えられることにより、上述した機能を発現させることができる。
【００１７】
ここで、この部位１８に表糸としてキュプラを採用した理由について説明する。キュプラは、銅アンモニア法レーヨンとも呼ばれるセルロース繊維（再生繊維）であって、吸放湿性に優れ、一般的なレーヨン（ビスコースレーヨン）に比べ、耐久力や耐摩耗性などに優れている。さらに、詳しくは、キュプラは、
（１）絹のようななめらかさ、すべりがよく、薄手の織物に最適であって、主に衣料の裏地として使用されることが多い。
（２）吸湿性および放湿性が非常によく、さらに静電気の発生が極めて少なく、衣類が肌にまとわりつくことが少ない。
（３）シックな光沢で染色性がよく、深みのある色合いに仕上がるので、高級感を出すことができる。
（４）セルロース繊維であるために熱に強く、熱で軟化、溶融せず、磨耗性および耐久性が一般的なレーヨン（ビスコースレーヨン）より高い。
（５）他の繊維とも相性が良いために、混紡、混繊、交繊、交編により複合化が可能である。
【００１８】
このような特徴を備えたキュプラを、レッグ部Ｌにおける履き口２０からふくらはぎ近傍１６までの部位１８の表糸として採用したために、
（Ａ）ふくらはぎ部分の靴下１０の編地（表糸がキュプラ）とその部分に対向するズボンの生地（たとえばウールまたはウール混）との摩擦が発生しないこと、
および／または、
（Ｂ）靴下１０の編地（表糸がキュプラ）を構成する繊維（キュプラ）がなめらかですべりがよく毛羽立ちがないのでズボンの生地を構成する繊維（たとえばウールまたはウール混）の毛羽との絡み等が発生しないこと
により、ズボンの裾がたくし上げられる（まくれ上げられる）ことを抑制することができ、ズボンの裾がたくし上げられて（まくれ上げられて）非常に見た目がよくなくなることを回避できる。
【００１９】
この靴下１０のさらに詳細な編地の編成は、以下の通りである。
・部位１８
表糸：キュプラ  １００デニール
裏糸：スパンデックス  ８０デニールＦＴＹ
または
ウーリーナイロン  １００デニール
・部位１８以外（裏糸は部位１８と同じ）
表糸：綿またはウール等々  １００デニール
裏糸：スパンデックス  ８０デニールＦＴＹ
または
ウーリーナイロン  １００デニール
【００２０】
なお、本実施の形態に係る靴下１０における部位１８においては脚の全周において同じ糸使いで同じ編み組織であってふくらはぎ側（背側）のみの表糸にキュプラを採用したものではないが、部位１８においては脚のふくらはぎ側（背側）のみの表糸にキュプラを採用したものであっても構わない。
【００２１】
以上のようにして、本実施の形態に係る靴下１０によると、全体を表糸と裏糸とで編成された編地で構成して、裏糸は、この靴下１０の全体に亘ってスパンデックスまたはウーリーナイロンを採用し、表糸は、レッグ部Ｌにおける履き口２０からふくらはぎ近傍１６までの部位１８にはキュプラを採用し、それより足先方向のレッグ部Ｌおよびフット部Ｆにおける部位（部位１８以外の部位）には（キュプラから切り替えて）綿を採用した。このため、ズボンの裾が靴下との摩擦等によりたくし上げられる（まくれ上げられる）ことをキュプラにより防止でき、かつ、靴下本来の機能（たとえば、汗を吸収して乾燥させ通気性を確保する機能）を綿により発現できる。
【００２２】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
たとえば、上述した実施の形態の形態に係る靴下１０は、表糸と裏糸とを用いて編成しているが、本発明に係る靴下は裏糸（ここではスパンデックスまたはウーリーナイロン）を用いない靴下であっても構わない。すなわち、表糸のみでキュプラ（またはポリエステル等のすべりのよい糸）から編み始めて途中のふくらはぎ近傍で綿等（キュプラまたはポ
リエステル等よりもすべりのよくない糸）に切り替える。この場合、裏糸としての弾性糸を含まない編成となるが、化繊を好まないユーザに好まれるタイプを実現することができる。
【産業上の利用可能性】
【００２３】
本発明は、編地で構成されたハイソックス等の靴下に好適であって、ズボンを履いた場合に靴下の基本的機能を発現しつつズボンの裾が靴下との摩擦等によりたくし上げられる（まくれ上げられる）ことを防止することができる点で特に好ましい。
【符号の説明】
【００２４】
１０  靴下
１２  足先部
１４  踵部
１６  ふくらはぎ近傍
１８  部位
２０  履き口
Ｆ  フット部
Ｌ  レッグ部
【図１】
0006701489.tif 000002